(57)【特許請求の範囲】
【請求項１】
広帯域符号分割多元接続システムにおいて動作するユーザ装置において複数のマルチメディア及びマルチキャストサービス（ＭＢＭＳ）通知表示チャネル（ＭＩＣＨ）フレームからＭＢＭＳ通知表示を検出する方法であって、
望ましいＭＩＣＨフレームの数を判定するステップ（１００）と、
ノードＢとの間で接続して、変更期間内に利用可能な数のＭＩＣＨフレームを受信するステップ（１０４）と、
受信した前記ＭＩＣＨフレームの通知表示をデコードするステップ（１０６）と、
デコードされた前記通知表示の最頻値を有する通知表示の数を多数派と判定するステップ（１０８）と、
前記多数派の数と前記望ましいＭＩＣＨフレームの数の比率が閾値以上であれば、正しい通知表示の値は最頻値であると判定するステップ（１１２）と、
前記多数派の数と前記望ましいＭＩＣＨフレームの数の比率が閾値以下であれば、前記ノードＢに接続するステップ（１１４）と、
さらにＭＩＣＨフレームを受信するステップ（１１６）と、
正しい通知表示が望ましい確率で達成されるように、さらに受信した前記ＭＩＣＨフレームの通知表示をデコードするステップ（１１８）とを有することを特徴とする方法。
【請求項２】
前記望ましいＭＩＣＨフレームの数を判定するステップ（１００）は、
サービングセルの負荷を表すロード信号を獲得するステップ（３００）と、
前記ロード信号に基づいて前記数を判定するステップ（３０２）とを含むことを特徴とする請求項１に記載の方法。
【請求項３】
前記望ましいＭＩＣＨフレームの数を判定するステップ（１００）は、
前記ユーザ装置のパスサーチャーから受信した送信の伝播状態を表す伝播信号を獲得するステップ（４００）と、
前記伝播信号に基づいて前記数を判定するステップ（４０２）とを含むことを特徴とする請求項１または２に記載された方法。
【請求項４】
前記ユーザ装置がアイドルモードにおいて実行されることを特徴とする請求項１乃至３のいずれか１項に記載された方法。
【請求項５】
前記通知表示をデコードするステップ（１０６）は、前記ユーザ装置が受信休止状態である前記アイドルモードに戻ったとき、ＭＩＣＨフレームの受信をした後に実行されることを特徴とする請求項４に記載の方法。
【請求項６】
前記閾値を１／２にしたことを特徴とする請求項１乃至５のいずれか１項に記載の方法。
【請求項７】
さらに受信される前記ＭＩＣＨフレームの数は、全てのページング機会が変更期間内に過ぎ去るなら、前記望ましいＭＩＣＨのフレーム数からページングインジケータ機会毎の前記ＭＩＣＨフレーム数と変更期間毎のページングインジケータ機会の数との積を差し引いた数であることを特徴とする請求項１乃至６のいずれか１項に記載の方法。
【請求項８】
プロセッサによって実行される命令を含むプログラムであって、請求項１乃至７のいずれか１項に記載された方法を前記プロセッサに実行させるプログラム。
【請求項９】
広帯域符号分割多元接続システムにおいて動作するよう構成され、無線受信部（６０２）と複数のマルチメディアブロードキャスト及びマルチキャストサービス（ＭＢＭＳ）通知表示チャネル（ＭＩＣＨ）フレームから通知を検出するように構成されたＭＢＭＳ通知表示検出部（６０６）とを有するユーザ装置であって、
前記ＭＢＭＳ通知表示検出部（６０６）は、
望ましいＭＩＣＨフレームの数を判定する手段と、
ノードＢからの送信を前記無線受信部が受信して、変更期間の間ＭＩＣＨフレームの利用可能な数を受信する手段と、
受信した前記ＭＩＣＨフレームの通知表示をデコードする手段と、
デコードされた通知表示の最頻値を有する通知表示の数を多数派と判定する手段と、
多数派の数と前記望ましいＭＩＣＨフレームの数との比率が閾値以上ならば、正しい通知表示の値は最頻値と判定する手段と、
多数派の数と前記望ましいＭＩＣＨフレームの数との比率が閾値より少ないならば、
前記無線受信部は、前記ノードＢからの送信の受信を開始し、さらにＭＩＣＨフレームの受信を行う手段と、
正しい通知表示が望ましい確率の割合で達成されるように、さらに受信された前記ＭＩＣＨフレームの通知表示のデコードを行う手段とを有するよう構成されたことを特徴とする前記装置（６００）。
【請求項１０】
望ましいＭＩＣＨフレームの数の判定は、サービングセルの負荷を表すロード信号に基づくことを特徴とする請求項９に記載の装置。
【請求項１１】
前記望ましいＭＩＣＨフレームの数の判定は、ユーザ装置のパスサーチャーから受信した送信信号の伝播状態を表す伝播信号を獲得し、前記伝播信号に基づいて数を判定することを含むことを特徴とする請求項９または１０に記載の装置。
【請求項１２】
前記通知表示検出部（６０６）はユーザ装置がアイドルモードにあるときに動作するよう構成され前記ユーザ装置が前記アイドルモードの受信休止状態に戻ったとき、前記ＭＩＣＨフレームの受信の後に、前記通知表示をデコード（１０６）するよう構成されることを特徴とする請求項９乃至１１のいずれか１項に記載された装置。
【請求項１３】
前記閾値を１／２にしたことを特徴とする請求項９乃至１２のいずれか１項に記載の装置。
【請求項１４】
さらに受信されるＭＩＣＨフレームの数は、全てのページング機会が変更期間内に過ぎ去るなら、望ましいＭＩＣＨのフレーム数からページングインジケータ機会毎の前記ＭＩＣＨフレーム数と変更期間毎のページングインジケータ機会の数との積を差し引いた数であることを特徴とする請求項９乃至１３に記載された装置。
【発明の詳細な説明】
【技術分野】
【０００１】
本発明は、広帯域符号分割多元接続システムで動作するユーザ装置において複数のマルチメディアブロードキャスト及びマルチキャストサービス（ＭＢＭＳ）通知表示チャネル（ＭＩＣＨ）フレームからＭＢＭＳの通知表示を検出する方法、前記方法を実装するコンピュータプログラムおよびユーザ装置に関する。
【背景技術】
【０００２】
第３世代パートナーシッププロジェクト（３ＧＰＰ）の文書にある広帯域符号分割多元接続システム（ＷＣＤＭＡ）のような通信システムはユニキャスト、マルチキャスト、ブロードキャストの少なくともいずれか一つを提供するだろう。マルチキャストサービスは、ユーザ装置と呼ばれる無線装置のグループと基地局との間にポイント−マルチポイント通信を提供する。ブロードキャストサービスは特定のブロードキャスト地域内の基地局とユーザ装置との間にポイント−マルチポイント通信を提供する。マルチキャストサービスとブロードキャストサービスのいくつかの例はニュース、データ、加入者サービス、プッシュツートークサービスである。マルチメディアブロードキャスト＆マルチキャストサービス（ＭＢＭＳ）と呼ばれるブロードキャストとマルチキャストのサービスは、散発的に定期的にあるいは継続してデータをユーザ装置へ送信する。
【０００３】
通信システムは、ＭＢＭＳを支えるために制御情報、構成情報等を送信することが望ましい。信号は、ＭＢＭＳ制御チャネル（ＭＣＣＨ）と呼ばれる制御チャネルで送信される。１以上のサービスを受信するユーザ装置は、受信するサービスのための信号が送信されるＭＣＣＨをモニタする。ユーザ装置はシステムの１以上の基地局とのデータ交換を行わないときはアイドル状態で動作してよい。アイドル状態では、パスサーチャーとその他の電力を要求する手段を備える無線受信機はほとんどパワーセーブ状態のための休止状態にある。しかし、ユーザ装置は、例えばシステムからのページングメッセージを受信するために定期的にウェークアップする。そして、再び電池電力を保存するために、残りの時間はできるだけ多くの回路がパワーダウンする。
【０００４】
ＷＣＤＭＡにおいて、ＭＢＭＳ表示チャネル（ＭＩＣＨ）はＭＣＣＨにてメッセージが送信されているかどうかを示す、ＭＢＭＳ通知表示を送信するために使われる。ＭＣＣＨはセカンダリー共通制御物理チャネル（Ｓ−ＣＣＰＣＨ）で搬送される。ＭＣＣＨで送信されるメッセージは、無線装置にＭＢＭＳトラフィックチャネル（ＭＴＣＨ）を受信することを許可する情報を含んでいる。このような情報は、例えば、どのサービスがアクティブか、ＭＴＣＨをどのようにデコードするか、ソフトコンバイニングが可能か等を表示する。ＭＴＣＨはサービスのための通信データやコンテンツを搬送するトランスポートチャネルである。
【０００５】
各マルチキャストやブロードキャストサービスには特定の通知表示が割り当てられ、サービスのためにＭＣＣＨで送信されるときに１がセットされる。各ユーザ装置は、そのユーザ装置により希望される全てのサービスに対する通知表示をモニタする。どれか希望するサービスの通知表示がセットされたときは必ず、ユーザ装置はサービスのために送信されたメッセージを探すためにＳ−ＣＣＰＣＨの処理をさらに行う。
【０００６】
さらに、ＷＣＤＭＡにおいて、アイドル状態においてページインジケーターチャネル（ＰＩＣＨ）がユーザ装置に対してページングインジケータを送信するのに使われる。各アイドル状態の無線装置に対するページングインジケータは、ユーザ装置に対してページングチャネル（ＰＣＨ）においてメッセージが送信されているかどうかを表示する。ＰＣＨもＳ−ＣＣＰＣＨにおいて搬送されるトランスポートチャネルである。各アイドル状態のユーザ装置は各自のページングインジケータに対するＰＩＣＨをモニタする。これらのページングインジケータが１にセットされていれば、無線装置は自装置に送信されているメッセージを探すためにＳ−ＣＣＰＣＨを処理する。ＰＩＣＨやＭＩＣＨのようなインジケータチャネルの鍵となる特徴は、これらチャネルで搬送される情報が短く、符号化されておらず、受信と解釈が非常に早く行われることにある。各アイドル状態の無線装置に対するページングインジケータは、その無線装置に対するページング機会において、ＰＩＣＨで送信される。各サービスに対する通知表示はＭＩＣＨで各フレームにおいて送信され、１か０か、同じ通知の値が変更期間（ｍｏｄｉｆｉｃａｔｉｏｎ  ｐｅｒｉｏｄ）の全ての期間中セットされる。変更期間は、重要なシグナリング情報の時間間隔を表してもよく、その情報はＭＢＭＳコンテンツを受信するために必要なものであり、変更されてもよい。
【０００７】
変更期間は、全てのユーザ装置が確実にその変更期間の間にＭＩＣＨで送信された通知表示の少なくとも一つを検出できるように十分に長く選ばれる。変更期間よりも短い不連続受信（ＤＲＸ）の周期を持つ無線装置は、各ＤＲＸ周期においてページング機会の期間にＭＩＣＨを読み取ることができる。変更期間よりも長いＤＲＸ周期を持つ無線装置はページング機会の間でＭＩＣＨを読み取るためにウエイクアップすることができる。変更期間は、ＤＲＸ周期を持つ無線装置が頻繁にウエイクアップする必要がないような、あらかじめ決めた最小期間以上の長い期間が選ばれてもよい。どのようにＤＲＸ周期と変更期間が設定されているかに応じて、無線装置は、各変更期間中に望ましいサービスを示す１以上の通知表示を読み取ることができるだろう。
【０００８】
実際のところ、通知表示の検出について良好な性能を達成するためにはいくつかの問題がある。他の無線システムのように、受信信号がローパワーだったり、干渉が強かったり、雑音が大きかったりといった伝播状態の悪さのために、検出ができなかったり誤報を得るような危険性がいつもある。更に、ＭＩＣＨの検出には特別な問題がある。それは、異なるＭＢＭＳサービスからの通知表示がＭＩＣＨフレームにおいて重なった位置にある場合に通知表示の衝突が生じる危険性がある。そのために電力消費を低く保っている間の通知表示の検出において、より強い耐性が望まれている。
【０００９】
特許文献１は、通信装置において通知を検出する方法を開示している。この方法は、通信ネットワークからの通知表示の有限の集合を連続的に受信するステップを含み、装置に関連する通知識別を表示することと共同して、続いて受信する通知表示が肯定か否定かをチェックし、各通知表示をチェックした後にチェックした通知表示に基づいて、次の通知表示を続行するのかあるいは現在の通知があらかじめ決められた通知表示であると決定するかどうか判定し、もし、決定がされたと判定されたときは、全ての通知表示の集合をチェックし決定する前に通知のチェックに割り込みをし、チェックされた通知表示に基づき、あらかじめ決められた通知識別子の通知があるかどうか判定する方法である。
【先行技術文献】
【特許文献】
【００１０】
【特許文献１】欧州特許出願公開第１６０８１９６号明細書
【発明の概要】
【発明が解決しようとする課題】
【００１１】
この発明の目的は上述の問題を少なくとも緩和することである。この解決法は、それぞれのＭＩＣＨフレームが読み取られかつ処理されていれば、最新のＭＢＭＳの正しい通知表示がより正確に得られるとの理解に基づく。
【課題を解決するための手段】
【００１２】
第１の側面によれば、広帯域符号分割多元接続システムにおいて動作するユーザ装置における複数のマルチメディア及びマルチキャストサービス（ＭＢＭＳ）通知表示チャネル（ＭＩＣＨ）フレームからのＭＢＭＳ通知表示検出のための方法が備えられる。この方法は望ましいＭＩＣＨフレームの数を判定するステップを含み、ノードＢ（ＮｏｄｅＢ）との間で接続している間に変更期間内に利用可能な数のＭＩＣＨフレームを受信し、受信したＭＩＣＨフレームの通知表示をデコードし、デコードされた通知表示の最頻値を有する通知表示の数を多数派と判定する。多数派の数と望ましいＭＩＣＨフレームの数の比率が閾値以上であれば、正しい通知表示の値は最頻値であると判定する。多数派の数と望ましいＭＩＣＨフレームの数の比率が閾値以下であれば、この方法はノードＢへの接続を続行し、さらにＭＩＣＨフレームを受信し、正しい通知表示が達成されるように、さらに受信したＭＩＣＨフレームの通知表示をデコードする。
【００１３】
望ましいＭＩＣＨフレームの数の判定は、サービングセルの負荷を表すロード信号（ｌｏａｄ  ｓｉｇｎａｌ）を獲得し、ロード信号に基づいて数を判定することを含んでもよい。
【００１４】
望ましいＭＩＣＨフレームの数の判定は、ユーザ装置のパスサーチャーから受信した送信の伝播状態を表す伝播信号を獲得し、伝播信号に基づいて数を判定することを含んでもよい。
【００１５】
この方法はユーザ装置がアイドルモードにあるときに実行される。
【００１６】
通知表示をデコードするステップは、前記ユーザ装置が無線休止状態である前記アイドルモードに戻ったとき、ＭＩＣＨフレームの受信をした後に、少なくとも部分的に実行されてもよい。
【００１７】
閾値は１／２でもよい。
【００１８】
さらに受信されるＭＩＣＨフレームの数は、全てのページング機会が変更期間内に過ぎ去るなら、望ましいＭＩＣＨのフレーム数からページングインジケータ機会毎の前記ＭＩＣＨフレーム数と変更期間毎のページングインジケータ機会の数との積を差し引いた数でもよい。
【００１９】
第２の側面によれば、プロセッサに、第１の側面による方法を実行させる、プロッセッサにより実行される命令を含むコンピュータプログラムが提供される。
【００２０】
第３の側面によれば、広帯域符号分割多元接続システムにおいて動作するよう構成され、無線受信部と複数のマルチメディアブロードキャスト及びマルチキャストサービス（ＭＢＭＳ）通知表示チャネル（ＭＩＣＨ）フレームから通知を検出するように構成されたＭＢＭＳ通知表示検出部とを有するユーザ装置であって、ＭＢＭＳ通知表示検出部は、ＭＩＣＨフレームの数を判定する手段と、ノードＢからの送信を受信する受信機により、変更期間の間ＭＩＣＨフレームの利用可能な数を受信し、受信したＭＩＣＨフレームの通知表示をデコードする手段とから構成され、デコードされた通知表示の最頻値を有する通知表示の数を多数派と判定し、多数派の数と望ましいＭＩＣＨの総数との比率が閾値以上ならば、正しい通知表示の値は最頻値と判定し、多数派の数と望ましいＭＩＣＨフレームの総数との比率が閾値より少ないならば、無線受信機は、ノードＢからの送信の受信を開始し、さらにＭＩＣＨフレームの受信を行い、正しい通知表示を達成するように受信されたＭＩＣＨフレームの通知表示のデコードを行うようＭＢＭＳ通知表示検出部がさらに配置されたことを特徴とする装置が提供される。
【００２１】
望ましいＭＩＣＨフレームの数を判定するステップは、サービングセルの負荷を表すロード信号に基づいてもよい。
【００２２】
望ましいＭＩＣＨフレームの数を判定するステップは、ユーザ装置のパスサーチャーから受信した送信信号の伝播状態を表す伝播信号を獲得し、伝播信号に基づいて数を判定するステップを含んでもよい。
【００２３】
通知表示検出部は、ユーザ装置がアイドル状態のときに動作するよう構成されてよい、そしてユーザ装置がアイドルモードモードの無線休止状態に戻ったとき、ＭＩＣＨフレームの受信後に少なくとも部分的に通知表示のデコードをしてもよいように構成される。
【００２４】
閾値は１／２にしてもよい。
【００２５】
さらに受信されるＭＩＣＨフレームの数は、全てのページング機会が変更期間内に過ぎ去るなら、望ましい数のＭＩＣＨのフレーム数からページングインジケータ機会毎のＭＩＣＨフレーム数と変更期間毎のページングインジケータ機会との積を差し引いた数でもよい。
【図面の簡単な説明】
【００２６】
【図１】ＷＣＤＭＡシステムのユーザ装置においてＭＩＣＨフレームからＭＢＭＳ通知表示を検出する実施例の方法を示すフローチャート
【図２】ＭＩＣＨフレームからＭＢＭＳ通知表示を検出する実施例の方法を示すフローチャート
【図３】望ましいＭＩＣＨフレームの数を判定する実施例のフローチャート
【図４】望ましいＭＩＣＨフレームの数を判定する実施例のフローチャート
【図５】コンピュータ可読媒体の概要
【図６】ユーザ装置のブロック図の概要
【発明を実施するための形態】
【００２７】
それぞれのＭＩＣＨフレームが読み取られかつ処理されているとの理解に基づけば、最新のＭＢＭＳの正しい通知表示がより正確に得られる。通知表示の検出の質を高めるために複数のＭＩＣＨフレームに基づくアルゴリズムが適用される。基本的なアプローチは、それぞれ連続したＭＩＣＨフレームにわたり与えられるＭＩＣＨに対して通知表示をデコードし、もしもデコードした通知表示の多数派が肯定ならば、次の変更期間のＭＣＣＨの変更の現況を考慮し、そうでないと、ＭＩＣＨの間の通知表示が否定と考慮される。この簡単なアプローチは接続されたモードにあるユーザ装置に対してはよく動作する。言い換えれば、ユーザ装置の無線受信機が動作状態にあり、ＤＲＸとしてスイッチオフにない時である。アイドルモードにあるユーザ装置にとって、受信機は全ての望ましいフレームに対して動作状態になければならないから、このアプローチはあまりにも電力消費が多く効率的ではない。
【００２８】
実際にアイドルモードを考えるとき、例えばページング情報をチェックするような、ユーザ装置の動作が避けられないような特定の場合に、ユーザ装置はウエイクアップ、すなわち受信機を動作状態にし、パスサーチャーと確実なデータを受信できるようにするために周波数調整機能を動作させる。そのような場合に、通知表示がデコードされるようにＭＩＣＨフレームが受信されることが好ましい。このような場合に、図１から４を参照して説明される異なる実施例の通知表示検出方法が使用される。
【００２９】
図１は、ＷＣＤＭＡシステムにおいて動作する、ユーザ装置において複数のＭＩＣＨフレームからＭＢＭＳ通知表示を検出する方法を示すフローチャートである。望ましいＭＩＣＨのフレーム数を判定するステップ１００において、通知表示（ＮＩ）の検出のために望ましいＭＩＣＨフレーム数がいくつなのか判定される。これは１以上の変数から判定され、図３及び図４を参照して説明される。接続中かどうか判定するステップ１０２において、ユーザ装置の受信部が起動しいくつかの他のアクティビティのために動作しているかどうかチェックされる。もしそうでないならば、ユーザ装置は受信部が起動するまで待つ。ＭＩＣＨフレーム受信ステップ１０４において、もし受信部が起動していれば、可能なら、ユーザ装置は前記判定された数のＭＩＣＨフレームを受信し、不可能ならばできるだけ多くの数のＭＩＣＨフレームを受信する。ＮＩをデコードするステップ１０６で、ＮＩをデコードするために受信したＭＩＣＨフレームを処理する。多数の値を判定するステップ１０８において、デコードされたＮＩは、ＮＩの持つ値が１か０か、肯定か否定かどちらが多数派か、そして、この値を持つデコードされたＮＩがいくつあるのかを判定するために調べられ、多数派のＮＩの値が宣言される。比較ステップ１１０において多数派が閾値を越えているかチェックされる。閾値は、好ましくはＮＩ検出のために望まれると判定されたＭＩＣＨフレーム数、すなわちステップ１００で判定された数と多数派との間の比率である。比率は例えば１／２にでき、他の正しいＮＩの確からしさの度合い、例えば、１／４、１／３、２／３、３／４も選ぶことができる。比率は統計モデルに基づいてもよい、ここで閾値は統計モデルの統計関数の分位数（ｑｕａｎｔｉｌｅ）によって判定される。
【００３０】
ＮＩを定義するステップ１１２において、比率が上記閾値を越えていれば、検出されたＮＩは上記のように多数派のＮＩとしてＮＩの値が定義される。比率が閾値よりも低ければ、ユーザ装置は接続ステップ１１４においてＷＣＤＭＡシステムのノードＢへ接続されるようにされ、さらに受信ステップ１１６においてＭＩＣＨフレームの受信をする。さらに受信されるＭＩＣＨフレームの数は、全てのページング機会が変更期間内に過ぎ去ってしまうなら、望ましい数のＭＩＣＨのフレーム数からページングインジケータ機会毎のＭＩＣＨフレーム数と変更期間毎のページングインジケータ機会の数との積を差し引いた数であり得る。ＮＩデコーディングステップ１１８において、さらに受信されたＮＩは、適切に多数派が判定されるようにデコードされる。そして、ＮＩは定められ、検出される。適切な多数派の値は、閾値を判定するための上述されたのと同様な方法で発見され、すなわち、望ましい確からしさの程度を達成する。このようにして定数により定義されたか又は統計モデルにより判定された特定のレベルが使用される。
【００３１】
図２は、図１に関して説明されたものに類似の、複数のＭＩＣＨフレームからＭＢＭＳ通知表示を検出する方法を示し、ここで等しい参照符号は等しい動作に対して使われる。図２に示される実施例はできるだけ速く受信機がオフされるという特徴を持ち、受信機の動作をオフするステップ１０５において受信機をオフすることによって動作可能にされ、ＮＩをデコードするステップ１０６においてＮＩをデコードする前に実行される。受信部がオフのときにさらに通信装置が信号処理をすることができるので、さらに電力消費の節約を可能にする。この実施例の他の特徴は図１を参照して示されるものと同様である。
【００３２】
図３は望ましい数のＭＩＣＨフレーム数の判定を示すフローチャートである。ロード信号を獲得するステップ３００において、サービングセルの負荷を表すロード信号が獲得される。これはサービングセルから前もって獲得していた情報により行われる。ロード信号に基づいて、そして場合によっては他の信号に基づいて、望ましいＭＩＣＨフレームの数が、数を判定するステップ３０２において判定される。
【００３３】
図４は望ましい数のＭＩＣＨフレームの判定に係るフローチャートを示す。伝播信号を獲得するステップ４００において、受信された送信の伝播状態を表す伝播信号が獲得される。これはユーザ装置の受信機のパスサーチャーによって行われる。判定ステップ４０２にて伝播信号と場合によってはロード信号等のようなその他の信号とに基づいて望ましいＭＩＣＨフレーム数が判定される。
【００３４】
この発明による方法は、コンピュータやプロセッサの少なくともいずれか一方のような処理手段の補助を伴って実装されるのに向いている。したがって、図１から４を参照して説明される実施例のいずれかによるいずれの方法のステップを実行するための、処理手段、プロッセッサ、コンピュータのための命令の配列を含むコンピュータプログラムが備えられる。コンピュータプログラムは、図５に示すように、コンピュータ可読媒体に格納されたプログラムコードを含むことが好ましく、それぞれこの発明の実施例、好ましくは図１から図４のいずれかを参照して説明されるいずれかの実施例による方法を実行する処理手段、プロセッサやコンピュータによってロードされ実行することができる。コンピュータ５０２とコンピュータプログラム５００はいずれかの方法の動作がステップ毎に順番に実行されるよう構成される。しかし、さらにリアルタイムベースに動作を実行するように構成されてもよく、すなわち動作は、要求および利用可能な入力データの少なくとも一方に応じて実施される。処理手段、プロセッサあるいはコンピュータ５０２は普通には組込み型システムに適用されることが好ましい。例えば、図５に描かれるコンピュータ可読媒体５００とコンピュータ５０２は原理の理解のためにだけの説明目的と解釈すべきであり、要素を直接説明するものと解釈すべきではない。
【００３５】
図６はユーザ装置６００を示す概略図である。ユーザ装置６００は、１以上のアンテナ６０４から受信されるＷＣＤＭＡ送信信号をダウンコンバートして復調し復調信号を出力する受信回路を含む受信部６０２を含む。ユーザ装置６００のＭＢＭＳ  ＮＩデコーダ６０６は、図５を参照して説明されるように実装され、図１から４のいずれか参照して説明される実施例のいずれかにより動作するように構成される。通信装置６００は、ＷＣＤＭＡ通信システムにおいて通信を実行するように構成された、移動電話、コンピュータ内の通信カード、あるいはいずれか他の通信を行う装置でよい。さらに受信部６０２は通信装置６００の高レベル信号処理手段６０８に対して出力を提供する。通信装置６００は通信装置６００の動作を制御するために配置されたプロセッサ６１０をさらに含むことが好ましい。プロセッサ６１０は、記憶を行い作業用およびコンテンツデータを提供するメモリ６１２を使って動作することが好ましい。任意であるが、通信装置６００が移動電話のようにユーザに直接操作される装置であるときは、通信装置６００は、マイクロホン、スピーカ、表示装置、キー、ジョイスティック、タッチセンサスクリーンなどのような入出力手段を含むユーザインタフェースを含むことができる。
【図１】
0005389914.tif 000002
【図２】
0005389914.tif 000003
【図３】
0005389914.tif 000004
【図４】
0005389914.tif 000005
【図５】
0005389914.tif 000006
【図６】
0005389914.tif 000007